(57)【要約】【課題】ねじ回し作業を行う場合に、ドライバーのハンドル部に連結した繋ぎ線条が、ドライバーのハンドル部に巻き付くことがなく、しかも繋ぎ線条がハンドル部を握った手の前方に位置することなく、ねじ回し作業の邪魔になることがないドライバーを提供する。【解決手段】ハンドル部１の先端に軸部２を取り付けたものとし、ハンドル部１の後端に取付部材３によって、繋ぎ線条の一端の連結孔４ａを形成したリング部材４を回動自在として取り付けたものとしている。【選択図】図２
0003178215.tif 000002
【実用新案登録請求の範囲】
【請求項１】
ハンドル部（１）の先端に軸部（２）を取り付けたものとし、ハンドル部（１）の後端に取付部材（３）によって、繋ぎ線条の一端の連結孔（４ａ）を形成したリング部材（４）を回動自在として取り付けたことを特徴とするドライバー。
【請求項２】
前記ハンドル部（１）の後端に接触面（１ａ）を設けると共に、この接触面（１ａ）の中心に止着孔（５）を設けたものとし、前記取付部材（３）は、円板状体（６）の内面（６ａ）側に遊嵌突起（７）を突設すると共に、この遊嵌突起（７）の中心に取付孔（８）を設けたものとし、前記リング部材（４）は、内面（４ｂ）をハンドル部（１）の接触面（１ａ）に近接または緩く接触させると共に、リング（４ｃ）内に取付部材（３）の遊嵌突起（７）を遊嵌させ、外面（４ｄ）を取付部材（３）の内面（６ａ）に近接または緩く接触させ、遊嵌突起（７）の取付孔（８）からハンドル部（１）の接触面（１ａ）の止着孔（５）にネジ（Ｓ）をねじ込んで、ハンドル部（１）の後端に回動自在として取り付けたことを特徴とする請求項１記載のドライバー。
【請求項３】
前記リング部材（４）の連結孔（４ａ）に、繋ぎ線条の一端に連結自在としたリング状連結体（１０）を取り付けたことを特徴とする請求項１又は２記載のドライバー。
【考案の詳細な説明】
【技術分野】
【０００１】
この考案は、作業中に作業者の手から放れても、作業者の身体の何処かに繋ぎ止めておくことのできるドライバーに関するものである。
【背景技術】
【０００２】
従来からドライバーは、各種の作業現場で使用されているが、特に高所の作業現場においては、ドライバーの落下による事故の危険性があるため、ドライバーのハンドル部に繋ぎ線条の一端を連結し、繋ぎ線条の他端を作業者の身体の何れかの部分、例えばズボンのベルトなどに繋ぐなどの安全対策を採ることがある。
【０００３】
このようにすることにより、高所での作業中に作業者がドライバーのハンドル部を掴み損なうなどして、ドライバーが作業者の手から放れても、ドライバーは繋ぎ線条によってズボンのベルトなどに繋がれているため、地上までは落下せず、他の作業者や通行人などに当たったり、ドライバーを失ってしまうようなことはない。
【０００４】
このようなドライバーとして、例えば図５、６に示したように、繋ぎ線条１１の一端に身体繋ぎ体１２を連結し、この繋ぎ線条１１の他端に連結したリング部材１３をハンドル部１４に回動自在に取り付けるようにしている。すなわち、このドライバーは、ハンドル部１４の先端に二段の円柱部１４ａ、１４ｂを形成し、一段目の円柱部１４ａに前記リング部材１３を遊嵌して回動自在とし、二段目の円柱部１４ｂに押さえ部材１５を嵌合して、前記リング部材１３が外れないようにしている（特許文献１参照）。
【０００５】
さらに、吊り下げ可能なドライバーとして、例えば図７、８に示したように、ハンドル部２１の後端寄りに径小凹条部２２を設け、この径小凹条部２２からドライバー先端方向に向かって徐々に断面積が大きくなるように形成して、ハンドル部２１の後端部に係止用くびれ部２３を設けている。そして、この係止用くびれ部２３に、ドーナツ形板状としたり輪状とした吊り下げ用環体２４を着脱自在として嵌合したものとし、この吊り下げ用環体２４に吊り下げ紐体２５を取り付けている（特許文献２参照）。
【先行技術文献】
【特許文献】
【０００６】
【特許文献１】特開２００４−１４８４０９号公報
【特許文献２】特開平１０−５８３５７号公報
【考案の概要】
【考案が解決しようとする課題】
【０００７】
しかしながら、特許文献１に記載されたドライバーを用いて、ねじ回し作業を行う場合には、ハンドル部１４を回転させても、リング部材１３が空回りして回転しないので、繋ぎ線条１１がドライバーのハンドル部１４に巻き付くことがないが、これらリング部材１３や繋ぎ線条１１がハンドル部１４を握った手の前方に位置するので、ねじ回し作業の邪魔になることがあるという課題を有していた。
【０００８】
さらに、特許文献２に記載されたドライバーは、売り場に置くときや保管するときに吊り下げ可能としたものであるが、このドライバーの吊り下げ紐体２５を作業者の身体の何れかの部分に取り付けた状態でねじ回し作業を行うと、ハンドル部２１を回転させることによって吊り下げ用環体２４も伴に回転するので、吊り下げ紐体２５がドライバーのハンドル部２１に巻き付いて、ねじ回し作業の邪魔になることがあるという課題を有していた。
【０００９】
そこで、この考案は、上記従来の課題を解決するものであり、ねじ回し作業を行う場合に、ドライバーのハンドル部に連結した繋ぎ線条が、ドライバーのハンドル部に巻き付くことがなく、しかも繋ぎ線条がハンドル部を握った手の前方に位置することなく、ねじ回し作業の邪魔になることがないドライバーを提供することを目的としてなされたものである。
【課題を解決するための手段】
【００１０】
そのため、この考案のドライバーは、ハンドル部１の先端に軸部２を取り付けたものとし、ハンドル部１の後端に取付部材３によって、繋ぎ線条の一端の連結孔４ａを形成したリング部材４を回動自在として取り付けたものとしている。
【００１１】
そして、この考案のドライバーにおいて、前記ハンドル部１の後端に接触面１ａを設けると共に、この接触面１ａの中心に止着孔５を設けたものとし、前記取付部材３は、円板状体６の内面６ａ側に遊嵌突起７を突設すると共に、この遊嵌突起７の中心に取付孔８を設けたものとし、前記リング部材４は、内面４ｂをハンドル部１の接触面１ａに近接または緩く接触させると共に、リング４ｃ内に取付部材３の遊嵌突起７を遊嵌させ、外面４ｄを取付部材３の内面６ａに近接または緩く接触させ、遊嵌突起７の取付孔８からハンドル部１の接触面１ａの止着孔５にネジＳをねじ込んで、ハンドル部１の後端に回動自在として取り付けたものとしている。
【００１２】
さらに、この考案のドライバーにおいて、前記リング部材４の連結孔４ａに、繋ぎ線条の一端に連結自在としたリング状連結体１０を取り付けたものとしている。
【考案の効果】
【００１３】
この考案のドライバーは、以上に述べたように構成されており、ねじ回し作業を行う場合に、ドライバーのハンドル部に連結した繋ぎ線条が、ドライバーのハンドル部に巻き付くことがなく、しかも繋ぎ線条がハンドル部を握った手の前方に位置することなく、ねじ回し作業の邪魔になることがないものとなり、ねじ回し作業が効率よく行えるものとなった。
【図面の簡単な説明】
【００１４】
【図１】この考案のドライバーの一実施形態を示す斜視図である。
【図２】図１に示すこの考案のドライバーのハンドル部の分解斜視図である。
【図３】図１に示すこの考案のドライバーのハンドル部の要部断面図である。
【図４】図１に示すこの考案のドライバーのハンドル部の要部拡大断面図である。
【図５】従来のドライバーの一例を示す斜視図である。
【図６】図５に示す従来のドライバーのハンドル部の分解斜視図である。
【図７】従来のドライバーの他の例を示す説明図である。
【図８】図７に示す従来のドライバーの側面図である。
【考案を実施するための形態】
【００１５】
以下、この考案のドライバーを実施するための形態を、図面に基づいて詳細に説明する。
【００１６】
この考案のドライバーは、図１〜４に示したように、ハンドル部１の先端に軸部２を取り付けたものとし、ハンドル部１の後端に取付部材３によって、繋ぎ線条（図示せず）の一端の連結孔４ａを形成したリング部材４を回動自在として取り付けたものとしている。
【００１７】
前記ハンドル部１は、合成樹脂や木材などからなるものとしており、後端に平坦な接触面１ａを設けると共に、この接触面１ａの中心に止着孔５を設けたものとしている。
【００１８】
前記軸部２は、図に示したものは、先端にプラス刃を設けたものとしているが、マイナス刃やソケットなどを設けたものとすることもできる。
【００１９】
前記取付部材３は、合成樹脂などからなるものとしており、円板状体６の内面６ａ側に遊嵌突起７を突設すると共に、この遊嵌突起７の中心に取付孔８を設けたものとし、円板状体６の外面６ｂ側に窪部９を設けたものとしている。なお、この窪部９は、後に述べるようにネジＳをねじ込んだときに、このネジＳの頭部ｈが窪部９内に入り込み、取付部材３から突出しないようにしている。
【００２０】
前記リング部材４は、合成樹脂などからなるものとしており、内面４ｂをハンドル部１の接触面１ａに近接または緩く接触させると共に、リング４ｃ内に取付部材３の遊嵌突起７を遊嵌させ、外面４ｄを取付部材３の内面６ａに近接または緩く接触させ、遊嵌突起７の取付孔８からハンドル部１の接触面１ａの止着孔５にネジＳをねじ込んで、ハンドル部１の後端に回動自在として取り付けたものとしている。このようにすると、前記リング部材４は、ハンドル部１の後端に嵩張ることなく取り付けられると共に、スムーズに回動するものとなる。
【００２１】
さらに、前記リング部材４の連結孔４ａには、繋ぎ線条の一端に連結自在としたリング状連結体１０を取り付けたものとしている。このリング状連結体１０は、図示したように、弾性線材を捩じり合わせたリングとし、リング径を拡縮自在なものとしている。このようにすると、前記リング部材４の連結孔４ａに繋ぎ線条の一端が連結し易いものとなる。
【００２２】
なお、前記繋ぎ線条は、ビニール紐をコイル状に巻いて伸縮自在としたものや、綿ロープ、麻ロープ、ワイヤロープなどとすることができ、一端に前記リング状連結体１０を連結したものとし、図示していないが、他端に作業者の身体への繋ぎ体（ナス環などとし、作業者の身体の何れかの部分、例えばズボンのベルトなどに繋ぎ易くしたものとしている）を取り付けたものとしている。
【００２３】
以上に述べたように構成したこの発明のドライバーは、次のようにして使用される。
【００２４】
先ず、この発明のドライバーは、繋ぎ線条の一端をリング部材４の連結孔４ａまたはリング状連結体１０に連結し、繋ぎ線条の他端に連結したナス環などの繋ぎ体を作業者の身体の何れかの部分、例えばズボンのベルトなどに繋ぐ。このようにすれば、高所でのねじ回し作業中に作業者がハンドル部１を掴み損なうなどして、ドライバーが作業者の手から放れても、ドライバーは繋ぎ線条によってズボンのベルトなどに繋がれているため、地上までは落下せず、他の作業者や通行人などに当たったり、ドライバーを失ってしまうようなことはない。
【００２５】
そして、この発明のドライバーは、ねじ回し作業を行う場合に、ハンドル部１を回転させても、リング部材４が空回りして回転しないので、繋ぎ線条がハンドル部１に巻き付くことがなくねじ回し作業にまったく影響を与えることなく、使用し易いものとなる。
【００２６】
さらに、この発明のドライバーは、ねじ回し作業を行う場合に、ハンドル部１を回転させても、リング部材４や繋ぎ線条がハンドル部１を握った手の後方に位置するので、ねじ回し作業の邪魔になることもない。
【００２７】
また、この発明のドライバーは、高所で作業しない場合にも、繋ぎ線条をドライバーから外せば、リング部材４がハンドル部１を握った手の後方に位置しているので、ねじ回し作業の邪魔になることもない。
【００２８】
なお、この発明のドライバーは、高所で作業しない場合には、ネジＳを緩めてハンドル４の後端から取り外せば、遊嵌部材３およびリング部材４も一緒に外れるので、ねじ回し作業の邪魔になることがないのはもちろん、これらの部材が外れた分、軽くなってより使用し易いものとなる。
【符号の説明】
【００２９】
１  ハンドル部
１ａ  接触面
２  軸部
３  取付部材
４  リング部材
４ａ  連結孔
４ｂ  内面
４ｃ  リング
４ｄ  外面
５  止着孔
６  円板状体
６ａ  内面
７  遊嵌突起
８  取付孔
１０  リング状連結体
Ｓ  ネジ
【図１】
0003178215.tif 000003
【図２】
0003178215.tif 000004
【図３】
0003178215.tif 000005
【図４】
0003178215.tif 000006
【図５】
0003178215.tif 000007
【図６】
0003178215.tif 000008
【図７】
0003178215.tif 000009
【図８】
0003178215.tif 000010